(57)【要約】【課題】書き込みレイヤーの書き込みと他のレイヤーの書き込みとを分かりやすく表示する情報閲覧装置、及び、情報閲覧プログラムを提供する。【解決手段】実施形態によれば、情報閲覧装置は、第１取得部と、第２取得部と、表示部と、を備える。第１取得部は、文書データを取得する。第２取得部は、前記第１取得部が取得した前記文書データに設定される複数のレイヤーの描画データと、前記描画データのレイヤーを示す属性情報とを取得する。表示部は、属性情報が第１属性情報である描画データを第１透過率で表示し、属性情報が第２属性情報である描画データが示す書き込みを前記第１透過率と異なる第２透過率で表示する。【選択図】図４
2015158728.tif 000002
【特許請求の範囲】
【請求項１】
文書データを取得する第１取得部と、
前記第１取得部が取得した前記文書データに設定される複数のレイヤーの描画データと、前記描画データのレイヤーを示す属性情報とを取得する第２取得部と、
属性情報が第１属性情報である描画データを第１透過率で表示し、属性情報が第２属性情報である描画データが示す書き込みを前記第１透過率と異なる第２透過率で表示する表示部と、
を備える情報閲覧装置。
【請求項２】
前記文書データのレイヤーに対する書き込みを受け付ける操作部を備え、
前記第１属性情報は、ユーザが前記操作部を通じて書き込みを行うレイヤーを示す、
前記請求項１に記載の情報閲覧装置。
【請求項３】
コンピュータに、
文書データを取得させる機能と、
取得された前記文書データに設定される複数のレイヤーの描画データと、前記描画データのレイヤーを示す属性情報とを取得させる機能と、
属性情報が第１属性情報である描画データを第１透過率で表示し、属性情報が第２属性情報である描画データが示す書き込みを前記第１透過率と異なる第２透過率で表示させる機能と、
を実現させるための情報閲覧プログラム。
【請求項４】
さらに、
前記文書データのレイヤーに対する書き込みを受け付けさせる機能を実現させ、
前記第１属性情報は、ユーザが前記書き込みを受け付けさせる機能を通じて書き込みを行うレイヤーを示す、
前記請求項３に記載の情報閲覧プログラム。
【請求項５】
前記第１透過率は、前記第２透過率よりも低い、
前記請求項３又は４に記載の情報閲覧プログラム。
【請求項６】
前記第１属性情報は、ユーザが個人用の書き込みを書き込むレイヤー、又は、前記ユーザが共有用の書き込みを書き込むレイヤーを示す、
前記請求項３乃至５の何れか１項に記載の情報閲覧プログラム。
【発明の詳細な説明】
【技術分野】
【０００１】
本発明に係る実施形態は、情報閲覧装置、及び、情報閲覧プログラムに関する。
【背景技術】
【０００２】
タブレットＰＣなどの情報閲覧装置には、表示されている文書データのページに対する書き込みを受け付けるものがある。情報閲覧端末は、個人レイヤー又は共有レイヤーの選択を受け付け、選択されたレイヤーに対する書き込みを受け付ける。従来、情報閲覧装置は、書き込みレイヤーの書き込みと他のレイヤーの書き込みとを分かりやすく表示することができないという課題がある。
【先行技術文献】
【特許文献】
【０００３】
【特許文献１】特開平９−２３１０２２号
【発明の概要】
【発明が解決しようとする課題】
【０００４】
上記の課題を解決するために、書き込みレイヤーの書き込みと他のレイヤーの書き込みとを分かりやすく表示する情報閲覧装置、及び、情報閲覧プログラムを提供する。
【課題を解決するための手段】
【０００５】
実施形態によれば、情報閲覧装置は、第１取得部と、第２取得部と、表示部と、を備える。第１取得部は、文書データを取得する。第２取得部は、前記第１取得部が取得した前記文書データに設定される複数のレイヤーの描画データと、前記描画データのレイヤーを示す属性情報とを取得する。表示部は、属性情報が第１属性情報である描画データを第１透過率で表示し、属性情報が第２属性情報である描画データが示す書き込みを前記第１透過率と異なる第２透過率で表示する。
【図面の簡単な説明】
【０００６】
【図１】図１は、実施形態に係る描画データ管理システムの構成例を示すブロック図である。
【図２】図２は、実施形態に係る描画データ管理サーバの構成例を示すブロック図である。
【図３】図３は、実施形態に係るユーザ端末の構成例を示すブロック図である。
【図４】図４は、実施形態に係るユーザ端末の動作例を示すフローチャートである。
【発明を実施するための形態】
【０００７】
以下、図面を参照しながら説明する。  
図１は、実施形態に係る描画データ管理システム１の構成例を示すブロック図である。
【０００８】
描画データ管理システム１は、文書データと、文書データの各ページに書き込まれた書き込みを示す描画データとを管理するシステムである。
【０００９】
描画データ管理システム１は、文書データをユーザ端末１２で閲覧可能にする。また、描画データ管理システム１は、描画データをユーザ端末１２で閲覧可能にする。
【００１０】
図１が示すように、描画データ管理システム１は、描画データ管理サーバ１１、ユーザ端末１２ａ、及び、ユーザ端末１２ｂなどを備える。
【００１１】
描画データ管理サーバ１１は、ユーザ端末１２に提供する文書データを保管する。描画データ管理サーバ１１は、文書データをユーザ端末１２へ送信する。
【００１２】
また、描画データ管理サーバ１１は、ユーザ端末１２から、ユーザが文書データのページに対する書き込みを示す描画データを受信する。描画データ管理サーバ１１は、受信された描画データを保管する。描画データ管理サーバ１１は、描画データを送信したユーザ端末１２に当該描画データを送信する。また、描画データ管理システム１は、ユーザ端末１２は、他のユーザ端末１２から受信された描画データを送信することもできる。
【００１３】
描画データ管理サーバ１１は、たとえば、ＰＣなどである。  
描画データ管理サーバ１１については、後に詳述する。
【００１４】
ユーザ端末１２ａ及びｂは、いずれも同様の構成であるので、以下、ユーザ端末１２として説明する。
【００１５】
ユーザ端末１２は、ユーザの指示に従って、描画データ管理サーバ１１に文書データを要求する。ユーザ端末１２は、描画データ管理サーバ１１が要求に応じて送信する文書データを取得し、文書データの各ページをユーザに表示する。
【００１６】
また、ユーザ端末１２は、ユーザの指示に従って、描画データ管理サーバ１１から描画データを要求する。ユーザ端末１２は、描画データ管理サーバ１１が要求に応じて送信する描画データを取得する。ユーザ端末１２は、取得された描画データに対応するページに、描画データが示す書き込みを追加して、ユーザに表示する。
【００１７】
ユーザ端末１２は、タブレットＰＣ、スマートフォン、又は、ノートＰＣなどであってもよい。  
ユーザ端末１２については、後に詳述する。
【００１８】
図１が示す例においては、描画データ管理システム１は、ユーザ端末１２ａ及びｂの２つのユーザ端末１２を備える。描画データ管理システム１は、１つのユーザ端末１２を備えてもよいし、３つ以上のユーザ端末１２を備えてもよい。描画データ管理システム１が備えるユーザ端末１２の個数は、特定の個数に限定されるものではない。また、ユーザ端末１２は、情報閲覧装置でもある。
【００１９】
次に、描画データ管理サーバ１１について説明する。  
図２は、描画データ管理サーバ１１の構成例を示すブロック図である。  
図２が示すように、描画データ管理サーバ１１は、文書データ管理部２１、文書データ保管部２２、描画データ管理部２３、描画データ保管部２４などを備える。
【００２０】
文書データ管理部２１は、文書データ保管部２２が保管する文書データを管理する。  
文書データ管理部２１は、文書データを入力する入力者から、ＰＣなどを通じて文書データを受信する。文書データ管理部２１は、受信された文書データを文書データ保管部２２に格納する。
【００２１】
また、文書データ管理部２１は、ユーザ端末１２からの要求に応じて、ユーザ端末１２に、文書データ保管部２２が保管する文書データを送信する。文書データ管理部２１は、所定のタイミング又は描画データ管理サーバ１１の利用者の指示に基づいて、ユーザ端末１２に、文書データ保管部２２が保管する文書データを送信してもよい。
【００２２】
文書データ保管部２２は、ユーザ端末１２へ送信する文書データを格納する。文書データ保管部２２は、文書データ管理部２１によって文書データを格納されてもよい。また、文書データ保管部２２は、製造時などに文書データを格納されてもよい。
【００２３】
描画データ管理部２３は、描画データを管理する。  
描画データは、ユーザがユーザ端末１２を通じてページに書き込んだ書き込みと当該ページを示す情報とを備える。
【００２４】
描画データ管理部２３は、ユーザ端末１２から、描画データを受信し、受信された描画データを描画データ保管部２４に格納する。
【００２５】
ユーザがユーザ端末１２を通じて個人で閲覧する目的でページに書き込み（個人用の書き込み）を行った場合、ユーザ端末１２は、個人用の描画データとして、書き込み内容を示す描画データを描画データ管理サーバ１１へ送信する。描画データ管理部２３は、受信された描画データを個人用の描画データとして描画データ保管部２４に格納する。
【００２６】
また、ユーザがユーザ端末１２を通じて他のユーザと共有する目的でページに書き込み（共有用の書き込み）を行った場合、ユーザ端末１２は、共有用の描画データとして、書き込み内容を示す描画データを描画データ管理サーバ１１へ送信する。描画データ管理部２３は、受信された描画データを共有用の描画データとして描画データ保管部２４に格納する。
【００２７】
ユーザ端末１２は、共有用の描画データと個人用の描画データとを区別するために、描画データに、描画データのレイヤーを示す属性情報を付与して描画データ管理サーバ１１へ送信する。ここでは、レイヤーは、共有用の描画データに対応するレイヤー又は個人用の描画データに対応するレイヤーである。属性情報は、描画データが共有用の描画データであるか、又は、描画データが個人用の描画データであるかを示す。
【００２８】
描画データ管理部２３は、ユーザ端末１２からの要求に応じて、ユーザ端末１２に、描画データ保管部２４が保管する描画データを送信する。描画データ管理部２３は、所定のタイミング又は描画データ管理サーバ１１の利用者の指示に基づいて、ユーザ端末１２に、描画データ保管部２４が保管する描画データを送信してもよい。
【００２９】
描画データ管理部２３は、ユーザ端末１２に、当該ユーザ端末１２が閲覧可能な描画データを送信する。たとえば、描画データ管理部２３は、当該ユーザ端末１２から受信された個人用の描画データを、当該ユーザ端末１２へ送信する。また、描画データ管理部２３は、ユーザ端末１２に、共有用の描画データを送信する。
【００３０】
描画データ管理サーバ１１は、ＣＰＵ、ＲＡＭ、ＲＯＭ、不揮発性メモリ、通信インターフェース、操作部、及び、表示部などを備える。
【００３１】
ＣＰＵは、描画データ管理サーバ１１全体の動作を制御する機能を有する。ＣＰＵは、内部キャッシュおよび各種のインターフェースなどを備えても良い。ＣＰＵは、内部メモリ、ＲＯＭあるいは不揮発性メモリに予め記憶したプログラムをＲＡＭ上に展開し実行することにより種々の処理を実現する。
【００３２】
ＲＡＭは、揮発性のメモリである。ＲＡＭは、ＣＰＵの処理中のデータなどを一時的に格納する。ＲＡＭは、ＣＰＵからの命令に基づき種々のアプリケーションプログラムを格納している。また、ＲＡＭは、アプリケーションプログラムの実行に必要なデータ及びアプリケーションプログラムの実行結果などを格納してもよい。
【００３３】
ＲＯＭは、予め制御用のプログラム及び制御データなどが記憶された不揮発性のメモリである。ＲＯＭに記憶される制御プログラム及び制御データは、予め描画データ管理サーバ１１の仕様に応じて組み込まれる。ＲＯＭは、たとえば、描画データ管理サーバ１１の回路基板を制御するプログラム（例えば、ＢＩＯＳ）などを格納している。
【００３４】
不揮発性メモリは、データの書き込み及び書き換えが可能な不揮発性のメモリである。不揮発性メモリは、例えば、ハードディスク、ＳＳＤ、ＥＥＰＲＯＭ又はフラッシュメモリなどにより構成される。不揮発性メモリは、描画データ管理サーバ１１の運用用途に応じて制御プログラム、アプリケーション、及び種々のデータを格納する。
【００３５】
通信インターフェースは、有線又は無線でユーザ端末１２などと通信するためのインターフェースである。通信インターフェースは、ＣＰＵからの命令に基づいて、ユーザ端末１２へ各種のデータを送信する。また、通信インターフェースは、ユーザ端末１２から各種のデータを受信する。たとえば、通信インターフェースは、ユーザ端末１２にローカルに接続するインターフェースであっても良いし、インターネットなどの通信網を介してユーザ端末１２と通信するためのインターフェースであっても良い。
【００３６】
操作部は、描画データ管理サーバ１１の管理者などから各種の操作を受け付ける。たとえば、操作部は、キーボード、マウス、又は、タッチパネルなどである。
【００３７】
表示部は、描画データ管理サーバ１１の管理者などへ各種の情報を表示する。たとえば、表示部は、液晶ディスプレイなどである。
【００３８】
文書データ管理部２１及び描画データ管理部２３は、ＣＰＵがＲＡＭ上でコンピュータプログラムを実行し及び通信インターフェースを制御することで実現される。
【００３９】
また、文書データ保管部２２及び描画データ保管部２４は、不揮発性メモリによって実現される。
【００４０】
次に、ユーザ端末１２について説明する。  
図３は、ユーザ端末１２の構成例を示すブロック図である。  
図３が示すように、ユーザ端末１２は、ＣＰＵ３１、ＲＡＭ３２、ＲＯＭ３３、ＮＶＭ３４、外部インターフェース３５、表示部３６、及び、操作部３７などを備える。
【００４１】
ＣＰＵ３１は、ユーザ端末１２全体の動作を制御する機能を有する。ＣＰＵ３１は、内部キャッシュおよび各種のインターフェースなどを備えても良い。ＣＰＵ３１は、内部メモリ、ＲＯＭ３３あるいはＮＶＭ３４に予め記憶したプログラムをＲＡＭ３２上に展開し実行することにより種々の処理を実現する。
【００４２】
ＲＡＭ３２は、揮発性のメモリである。ＲＡＭ３２は、ＣＰＵ３１の処理中のデータなどを一時的に格納する。ＲＡＭ３２は、ＣＰＵ３１からの命令に基づき種々のアプリケーションプログラムを格納している。また、ＲＡＭ３２は、アプリケーションプログラムの実行に必要なデータ及びアプリケーションプログラムの実行結果などを格納してもよい。
【００４３】
ＲＯＭ３３は、予め制御用のプログラム及び制御データなどが記憶された不揮発性のメモリである。ＲＯＭ３３に記憶される制御プログラム及び制御データは、予めユーザ端末１２の仕様に応じて組み込まれる。ＲＯＭ３３は、たとえば、ユーザ端末１２の回路基板を制御するプログラム（例えば、ＢＩＯＳ）などを格納している。
【００４４】
ＮＶＭ３４は、データの書き込み及び書き換えが可能な不揮発性のメモリである。ＮＶＭ３４は、例えば、ハードディスク、ＳＳＤ、ＥＥＰＲＯＭ又はフラッシュメモリなどにより構成される。不揮発性メモリは、ユーザ端末１２の運用用途に応じて制御プログラム、アプリケーション、及び種々のデータを格納する。
【００４５】
外部インターフェース３５は、有線又は無線で描画データ管理サーバ１１などと通信するためのインターフェースである。外部インターフェース３５は、ＣＰＵ３１からの命令に基づいて、描画データ管理サーバ１１へ各種のデータを送信する。また、外部インターフェース３５は、描画データ管理サーバ１１から各種のデータを受信する。たとえば、外部インターフェース３５は、描画データ管理サーバ１１にローカルに接続するインターフェースであっても良いし、インターネットなどの通信網を介して描画データ管理サーバと通信するためのインターフェースであっても良い。
【００４６】
表示部３６は、ユーザ端末１２のユーザへ各種の情報を表示する。表示部３６は、ＣＰＵ３１からの指示に基づいて、文書データのページと、ページに対応する書き込みと、を表示する。たとえば、表示部は、液晶ディスプレイなどである。
【００４７】
操作部３７は、ユーザ端末１２のユーザから各種の操作を受け付ける。操作部３７は、ページに対する書き込みを受け付ける。また、操作部３７は、閲覧モード及び書き込みレイヤーの設定を受け付ける。閲覧モード及び書き込みレイヤーについては、後述する。  
たとえば、操作部は、キーボード、マウス、又は、タッチパネルなどである。
【００４８】
なお、表示部３６と操作部３７とは、一体的に形成されてもよい。
【００４９】
次に、描画データ管理システム１の作用例について説明する。  
ここでは、予め描画データ管理サーバ１１は、ユーザ端末１２へ配布する文書データを文書データ保管部２２に格納しているものとする。また、描画データ管理サーバ１１は、個人用の描画データ及び共有用の描画データを描画データ保管部２４に格納しているものとする。
【００５０】
ユーザ端末１２は、描画データ管理サーバ１１にユーザ端末１２で文書データを要求する。
【００５１】
描画データ管理サーバ１１は、ユーザ端末１２からの要求に応じて、当該ユーザ端末１２で閲覧可能な文書データを当該ユーザ端末１２へ送信する。
【００５２】
ユーザ端末１２は、描画データ管理サーバ１１から文書データを受信する。描画データ管理サーバ１１から文書データを受信すると、ユーザ端末１２は、表示部３６に文書データのページを表示する。
【００５３】
文書データのページを表示すると、ユーザ端末１２は、描画データを描画データ管理サーバ１１へ要求する。
【００５４】
描画データ管理サーバ１１は、ユーザ端末１２の要求に応じて、当該ユーザ端末１２で閲覧可能な個人用の描画データ及び共有用の描画データを当該ユーザ端末１２へ送信する。ここで、個人用の描画データは、当該ユーザ端末１２から書き込まれた書き込みを示す描画データである。なお、個人用の描画データは、同一のＩＤでログインしたユーザに対応する個人用の描画データであってもよい。
【００５５】
ユーザ端末１２は、描画データ管理サーバ１１から個人用の描画データ及び共有用の描画データを受信する。個人用の描画データ及び共有用の描画データを受信すると、ユーザ端末１２は、閲覧モードに応じて、文書データのページに、当該ページに対応する個人用の描画データ及び共有用の描画データが示す書き込みを表示する。
【００５６】
閲覧モードは、ユーザ端末１２が文書データのページ上に表示する描画データを決定する。ここでは、閲覧モードは、「個人ノート」、「共有ボード」、又は、「個人＋共有」のいいずれかである。
【００５７】
「個人ノート」は、ユーザ端末１２が個人用の描画データが示す書き込みを文書データのページ上に表示する閲覧モードである。即ち、閲覧モードが「個人ノート」である場合、ユーザ端末１２は、ユーザが当該ユーザ端末１２を通じて個人用の書き込みとして書き込んだ書き込みを文書データのページ上に表示する。
【００５８】
「共有ボード」は、ユーザ端末１２が共有用の描画データが示す書き込みを文書データのページ上に表示する閲覧モードである。即ち、閲覧モードが「共有ボード」である場合、ユーザ端末１２は、各ユーザが各ユーザ端末１２を通じて共有用の書き込みとして書き込んだ書き込みを、文書データのページ上に表示する。
【００５９】
「個人＋共有」は、ユーザ端末１２が個人用の描画データが示す書き込みと、共有用の描画データが示す書き込みとを、文書データのページ上に表示する閲覧モードである。即ち、閲覧モードが「個人＋共有」である場合、ユーザ端末１２は、ユーザが当該ユーザ端末１２を通じて個人用の書き込みとして書き込んだ書き込みと、各ユーザが各ユーザ端末１２を通じて共有用の書き込みとして書き込んだ書き込みとを、文書データのページ上に表示する。
【００６０】
ユーザ端末１２は、ユーザから操作部３７を通じて閲覧モードの選択を受け付ける。たとえば、ユーザ端末１２は、表示部３６に閲覧モードを選択するアイコンを表示し、ユーザによるアイコンのタッチを受け付けてもよい。
【００６１】
ユーザ端末１２は、予め閲覧モードの選択を受け付けておいてもよい。また、ユーザ端末１２は、文書データのページを表示している間に、閲覧モードの変更を受け付けてもよい。
【００６２】
ここでは、ユーザ端末１２は、閲覧モードとして、「個人＋共有」を設定されているものとする。
【００６３】
閲覧モードに従って書き込みを文書データのページ上に表示すると、ユーザ端末１２は、操作部３７を通じて、書き込みレイヤーに対する書き込みを受け付ける。
【００６４】
書き込みレイヤーは、ユーザ端末１２のユーザが文書データのページ上に書き込むレイヤーである。書き込みレイヤーは、「個人レイヤー」又は「共有レイヤー」のいずれかである。
【００６５】
ユーザ端末１２は、書き込みレイヤーに書き込まれた書き込みを示す描画データと、書き込みレイヤーを示す属性情報（第１属性情報）とを対応付けて、描画データ管理サーバ１１へ送信する。
【００６６】
「個人レイヤー」は、ユーザ端末１２のユーザが個人用の書き込みを書き込むレイヤーである。書き込みレイヤーが「個人レイヤー」に設定されている場合、ユーザ端末１２は、ユーザが書き込んだ書き込みを示す描画データを、個人用の描画データとして、描画データ管理サーバ１１へ送信する。
【００６７】
「共有レイヤー」は、ユーザ端末１２のユーザが共有用の書き込みを書き込むレイヤーである。書き込みレイヤーが「共有レイヤー」に設定されている場合、ユーザ端末１２は、ユーザが書き込んだ書き込みを示す描画データを、共有用の描画データとして、描画データ管理サーバ１１へ送信する。
【００６８】
また、ユーザ端末１２は、書き込みレイヤーに対応する描画データに対して低い透過率（第１透過率）を設定し、他のレイヤーに対応する描画データに高い透過率（第２透過率）を設定する。
【００６９】
たとえば、書き込みレイヤーが「個人レイヤー」に設定されている場合、ユーザ端末１２は、「個人レイヤー」に対応する描画データ（即ち、個人用の描画データ）に第１透過率を設定する。即ち、ユーザ端末１２は、個人用の描画データが示す書き込みを濃く表示させる。
【００７０】
他方、書き込みレイヤーが「個人レイヤー」に設定されている場合、ユーザ端末１２は、「共有レイヤー」に対応する描画データ（即ち、共有用の描画データ）に第２透過率を設定する。即ち、ユーザ端末１２は、共有用の描画データが示す書き込みを薄く表示させる。
【００７１】
また、書き込みレイヤーが「共有レイヤー」に設定されている場合、ユーザ端末１２は、「共有レイヤー」に対応する描画データ（即ち、共有用の描画データ）に第１透過率を設定する。即ち、ユーザ端末１２は、共有用の描画データが示す書き込みを濃く表示させる。
【００７２】
他方、書き込みレイヤーが「共有レイヤー」に設定されている場合、ユーザ端末１２は、「個人レイヤー」に対応する描画データ（即ち、個人用の描画データ）に第２透過率を設定する。即ち、ユーザ端末１２は、個人用の描画データが示す書き込みを薄く表示させる。
【００７３】
たとえば、ユーザ端末１２は、書き込みレイヤーに対応する描画データに第１透過率として０％を設定してもよい。また、ユーザ端末１２は、他の書き込みレイヤーに対応する描画データに第２透過率として５０％を設定してもよい。
【００７４】
ユーザ端末１２が設定する各描画データが示す書き込みの表示の透過率は、特定の構成に限定されるものではない。
【００７５】
なお、書き込みレイヤーは、さらに他のレイヤーから選択されてもよい。書き込みレイヤーの構成は、特定の構成に限定されるものではない。
【００７６】
なお、ユーザ端末１２は、書き込むことができる書き込みレイヤーを限定されてもよい。たとえば、所定のユーザ端末１２は、共有レイヤーに書き込むことを制限されてもよい。
【００７７】
ユーザ端末１２は、描画データ管理サーバ１１からの信号に基づいて、書き込みレイヤーを限定されてもよい。
【００７８】
書き込みレイヤーに対する書き込みを受け付けると、ユーザ端末１２は、書き込みレイヤーに応じて、個人用又は共有用の描画データとして、書き込みを示す描画データを描画データ管理サーバ１１へ送信する。
【００７９】
描画データ管理サーバ１１の描画データ管理部２３は、個人用又は共有用の描画データを受信する。個人用又は共有用の描画データを受信すると、描画データ管理部２３は、受信された個人用又は共有用の描画データを描画データ保管部２４に格納する。
【００８０】
共有用の描画データを描画データ保管部２４に格納した場合、描画データ管理サーバ１１の描画データ管理部２３は、他のユーザ端末１２に、格納された共有用の描画データを送信する。
【００８１】
ユーザ端末１２は、共有用の描画データを受信すると、文書データのページ上に、受信された共有用の描画データが示す書き込みを表示する。
【００８２】
ユーザ端末１２が共有用の描画データが示す書き込みを表示すると、描画データ管理システム１は、動作を終了する。
【００８３】
描画データ管理システム１は、必要に応じて上記の動作を繰り返すことで、描画データを管理する。
【００８４】
次に、ユーザ端末１２が文書データのページと描画データとを表示する動作例について説明する。  
図４は、ユーザ端末１２が文書データのページと描画データとを表示する動作例について説明するためのフローチャートである。
【００８５】
ここでは、ユーザ端末１２は、予め閲覧モードとして「個人＋共有」を設定されているものとする。
【００８６】
まず、ユーザ端末１２のＣＰＵ３１は、外部インターフェース３５を通じて、描画データ管理サーバ１１に、文書データを要求する（ＡＣＴ１１）。
【００８７】
文書データを要求すると、ＣＰＵ３１は、外部インターフェース３５を通じて、描画データ管理サーバ１１から、文書データを受信する（ＡＣＴ１２）。このＡＣＴ１２が第１取得部である。
【００８８】
文書データを受信すると、ＣＰＵ３１は、表示部３６に、文書データの所定のページを表示する（ＡＣＴ１３）。
【００８９】
文書データの所定のページを表示すると、ＣＰＵ３１は、外部インターフェース３５を通じて、描画データ管理サーバ１１に個人用の描画データと共有用の描画データとを要求する（ＡＣＴ１４）。
【００９０】
個人用の描画データと共有用の描画データとを要求すると、ＣＰＵ３１は、外部インターフェース３５を通じて、描画データ管理サーバ１１から個人用の描画データと共有用の描画データとを受信する（ＡＣＴ１５）。
【００９１】
個人用の描画データと共有用の描画データとを受信すると、ＣＰＵ３１は、操作部３７を通じて、ユーザから書き込みレイヤーの切り替えを受け付ける（ＡＣＴ１６）。即ち、ＣＰＵ３１は、ユーザから、書き込みレイヤーとして「個人レイヤー」又は「共有レイヤー」のいずれかの選択を受け付ける。
【００９２】
ユーザから書き込みレイヤーの切り替えを受け付けると、ＣＰＵ３１は、ユーザが文書データのページに書き込みを行っているか判定する（ＡＣＴ１７）。たとえば、ＣＰＵ３１は、ユーザが操作部３７をタッチして文字を入力しているかを判定する。すなわち、ＣＰＵ３１は、ユーザが操作部３７をタッチして文字を書こうとしているかを判定する。また、たとえば、閲覧モード/書込みモードがあり書込みモードに変わった時およびペンを選択した場合も該当する。さらに、ＣＰＵ３１は、ユーザが操作部３７をタッチして文字を消そうとした場合も該当する。
【００９３】
ユーザが文書データのページに書き込みを行っていると判定すると（ＡＣＴ１７、ＹＥＳ）、ＣＰＵ３１は、書き込みレイヤーに対応する描画データ（即ち、対応する属性情報が第１属性情報である描画データ）が示す書き込みに低い透過率（第１透過率）を設定し、他の描画データ（即ち、対応する属性情報が第１属性情報と異なる属性情報（第２属性情報）である描画データ）が示す書き込みに高い透過率（第２透過率）を設定する（ＡＣＴ１８）。このＡＣＴ１８が、第２取得部である。次に、ＣＰＵ３１は、共有用の描画データに設定された透過率に従って共有用の描画データが示す書き込みを、個人用の描画データに設定された透過率に従って個人用の描画データが示す書き込みを、文書データのページ上に表示する（ＡＣＴ２０）。
【００９４】
ユーザが文書データのページに書き込みを行っていないと判定すると、（ＡＣＴ１７、ＮＯ）、ＣＰＵ３１は、いずれの書き込みレイヤーに対応する描画データが示す書き込みにも、同一の透過率（デフォルトの透過率、たとえば、第１透過率）を設定する（ＡＣＴ１９）。次に、ＣＰＵ３１は、共有用の描画データに設定された透過率に従って共有用の描画データが示す書き込みを、個人用の描画データに設定された透過率に従って個人用の描画データが示す書き込みを、文書データのページ上に表示する（ＡＣＴ２０）。
【００９５】
書き込みを文書データのページ上に表示させると、ＣＰＵ３１は、動作を終了する。
【００９６】
なお、ＣＰＵ３１は、書き込みレイヤーを受け付ける前に、描画データが示す書き込みを文書データのページ上に表示してもよい。この場合、ＣＰＵ３１は、個人用の描画データと共有用の描画データに同一の透過率（デフォルトの透過率、たとえば、第１透過率）を設定してもよい。
【００９７】
また、ＣＰＵ３１は、描画データを受信してから文書データのページを表示してもよい。
【００９８】
なお、ＣＰＵ３１は、コンピュータプログラムをＲＡＭ３２上で実行することで上記のユーザ端末１２の動作を実現する。コンピュータプログラムは、コンピュータに、ユーザ端末１２の上記の各種機能を実現させるコードである。
【００９９】
以上のように構成されるユーザ端末は、ユーザが書き込むレイヤーに対応する描画データが示す書き込みを濃く表示し、他のレイヤーに対応する描画データが示す書き込みを薄く表示することができる。その結果、ユーザ端末は、書き込みレイヤーの書き込みと他のレイヤーの書き込みとを同時に分かりやくす表示することができる。
【０１００】
実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と協働してその機能を実現させるものであってもよい。
【０１０１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０２】
１…描画データ管理システム、１１…描画データ管理サーバ、１２…ユーザ端末（情報閲覧装置）、２１…文書データ管理部、２２…文書データ保管部、２３…描画データ管理部、２４…描画データ保管部、３１…ＣＰＵ、３２…ＲＡＭ、３５…外部インターフェース、３６…表示部、３７…操作部。
【図１】
2015158728.tif 000003
【図２】
2015158728.tif 000004
【図３】
2015158728.tif 000005
【図４】
2015158728.tif 000006